(57)【要約】【課題】外気温が高い場合であっても、乾燥運転を継続し、高効率で信頼性の高いドラム式乾燥機を提供する。【解決手段】回転ドラムに送り込まれる温風を発生させるヒートポンプ装置を備え、ヒートポンプ装置の圧縮機は、回転数が任意に変更されるインバータモータによって駆動され、制御部は、温度検知部が検知した外気温に基づいて、圧縮機の回転数３７を変更する。冷媒温度３６が上限値を超えそうな場合を、外気温を用いて検知し、その場合に、圧縮機の回転数３７を変更して、冷媒温度３６の上昇を抑えるとともに、乾燥運転を継続させることにより、ドラム式乾燥機の乾燥効率や信頼性が向上する。【選択図】図２
2014018452.tif 000002
【特許請求の範囲】
【請求項１】
被乾燥物を収容する回転ドラムと、
温風を発生させるヒートポンプ装置および送風部と、
前記温風を前記回転ドラムへ循環させる循環路と、
外気温を検知する温度検知部と、
少なくとも、前記回転ドラム、前記送風部、前記ヒートポンプ装置を制御する制御部と、を備え、
前記ヒートポンプ装置は、圧縮機、凝縮器、蒸発器が連通し、内部に冷媒が循環する構成を有し、
前記圧縮機は、前記制御部によって回転数が任意に変更されるインバータモータによって駆動され、
前記制御部は、前記温度検知部が検知した外気温に基づいて、前記圧縮機の回転数を変更することを特徴としたドラム式乾燥機。
【請求項２】
前記温度検知部が検知した外気温が、所定温度を超えた場合、前記制御部は前記圧縮機の回転数を低下させることを特徴とした請求項１に記載のドラム式乾燥機。
【発明の詳細な説明】
【技術分野】
【０００１】
本発明はドラム式乾燥機に関するものである。
【背景技術】
【０００２】
従来のドラム式乾燥機に用いられる圧縮機は、回転数を任意に変えることは不可能であった（例えば、特許文献１参照）。
【０００３】
図３は従来のドラム式乾燥機の、外気温３４と圧縮機の回転数３５との関係を示す説明図である。
【０００４】
従来のドラム式乾燥機は、外気温３４が上がりすぎた場合、圧縮機の回転を停止させることによって、冷媒温度を下げる。また、従来のドラム式乾燥機は、外気温３４が設定温度以下になると再び圧縮機を駆動し、乾燥運転を継続する。
【先行技術文献】
【特許文献】
【０００５】
【特許文献１】欧州特許第０４６７１８８号明細書
【発明の概要】
【発明が解決しようとする課題】
【０００６】
従来のドラム式乾燥機には、圧縮機を保護するために、冷媒温度および／または冷媒圧力の上限値が設けられている。外気温が高い場合は、冷媒温度および／または冷媒圧力が上昇する。冷媒温度および／または冷媒圧力が上限値を超えた場合、圧縮機を保護するために、圧縮機は停止される。その後、圧縮機等の放熱によって、冷媒温度および／または冷媒圧力が下がるのを待ち、所定値以下になると再度、圧縮機の駆動が行われる。
【０００７】
しかしながら、圧縮機が停止している間は、乾燥運転が充分に行われない。また、圧縮機を再駆動するとき、冷媒の状態が安定するまで、所定の時間待つ必要があった。これらにより、従来のドラム式乾燥機は、効率的な乾燥運転を行うことが難しいと言う課題を有していた。
【課題を解決するための手段】
【０００８】
上記課題を解決するために、本発明のドラム式乾燥機は、被乾燥物を収容する回転ドラムと、温風を発生させるヒートポンプ装置および送風部と、温風を回転ドラムへ循環させる循環路と、外気温を検知する温度検知部と、少なくとも、回転ドラム、送風部、ヒートポンプ装置を制御する制御部と、を備え、ヒートポンプ装置は、圧縮機、凝縮器、蒸発器が連通し、内部に冷媒が循環する構成を有し、圧縮機は、制御部によって回転数が任意に変更されるインバータモータによって駆動され、制御部は、温度検知部が検知した外気温に基づいて、圧縮機の回転数を変更する。
【０００９】
この構成により、冷媒温度が上限値を超えそうな場合を、外気温を用いて検知し、その場合に、圧縮機の回転数を変更して、冷媒の温度上昇を抑えるとともに、乾燥運転を継続させる。
【発明の効果】
【００１０】
本発明のドラム式乾燥機は、外気温が高い場合、圧縮機の回転数を変更することによって、圧縮機の停止や再駆動の必要が無くなり、乾燥運転を継続することにより、信頼性の高い効率的な燥機を行うことができる。
【図面の簡単な説明】
【００１１】
【図１】本発明の実施の形態におけるドラム式乾燥機の構成図
【図２】同ドラム式乾燥機の外気温と圧縮機の回転数との関係を示す説明図
【図３】従来のドラム式乾燥機の外気温と圧縮機の回転数との関係を示す説明図
【発明を実施するための形態】
【００１２】
以下、本発明の実施の形態について、図面を参照しながら説明する。なおこの実施の形態によって本発明が限定されるものではない。
【００１３】
図１は、ヒートポンプ乾燥方式のドラム式乾燥機の構成を示す。
【００１４】
回転ドラム１は、回転軸２を有する。回転ドラム１は、筐体３の背面を構成する裏板４の軸受け５と、回転軸２とによって片持ちで支持される。さらに、回転ドラム１は、筐体３に固定されたローラ６によって、先端面が両側から支持される。
【００１５】
駆動モータ７は、モータ回転軸の一方の端部にドラムプーリ８Ａを有し、ドラムプーリ８Ａに掛けられたドラムベルト９を介して回転ドラム１を回転させる。
【００１６】
ファンケース１０内には、送風部であるファン１３が設けられる。ファン１３は、ファン回転軸の端部に設けられたファンプーリ１１を有する。駆動モータ７は、モータ回転軸のもう一方の端部にファンプーリ８Ｂを有する。ファンプーリ８Ｂとファンプーリ１１とに、ファンベルト１２が掛けられ、ファン１３が回転する。なお、ファンケース１０の吹き出し口１４は、回転ドラム１の背面に開口する。筐体３の前面下方には外気導入口３１が形成され、冷却ファン３２によって、筐体３内に外気が導入される。冷却ファン３２の下流には、外気温を検知するための温度検知部３３が設けられる。
【００１７】
筐体３の底部には、ヒートポンプ装置１５が配設される。ヒートポンプ装置１５は、圧縮機２３、凝縮器２４、蒸発器２５等が連通して構成され、その内部に冷媒が循環する。ファン１３の回転によってダクト１７からヒートポンプ装置１５に入った空気は、ヒートポンプ装置１５によって除湿および加熱され、温風となる。温風は、ファンケース１０の吸い込み口１６に入り、ファンケース１０の吹き出し口１４から回転ドラム１に入る。回転ドラム１に入った温風によって、被乾燥物である衣類が乾燥する。衣類を乾燥させた温風は、回転ドラム１の前部の開口から、フタ１８の内部を通って、ダクト１７に入り、再び、ヒートポンプ装置１５に戻る。このようにして、循環路が形成され、温風が循環する。なお、乾燥運転において、回転ドラム１、ファン１３、ヒートポンプ装置１５等は、制御部２８によって制御される。また、圧縮機２３は、制御部２８からの指令に基づいて回転数が任意に変更されるインバータモータ３０によって駆動される。
【００１８】
図２は、本発明におけるドラム式乾燥機の冷媒温度３６と、圧縮機２３の回転数３７との関係を示す説明図である。なお、冷媒温度３６は、冷媒配管等に装着された温度センサ（図示せず）によって検知される。
【００１９】
外気温が通常の温度（例えば約５〜３５℃）の場合、冷却ファン３２が動作することにより、筐体３内の温度が下がり、これに伴い、圧縮機２３の冷媒の温度も下がる。一方、外気温が高い場合（例えば約３５℃以上）は、冷却ファン３２による冷却が不充分となり、図３のＡに示すように、冷媒温度３６が上限値（例えば７０℃）を超える。そこで、温度検知部３３が所定の温度（例えば３５℃）以上を検知した場合に、制御部２８は、圧縮機２３の回転数３７を、図３のＢに示すように下げる。これにより、冷媒の温度上昇が抑制され、上限値以下で乾燥運転を行うことができる。
【００２０】
このように本発明のドラム式乾燥機は、外気温が高い場合に、圧縮機２３の回転数を所定の回転数まで下げることによって、圧縮機２３の停止や再駆動をせずに、乾燥運転を継続することができる。これにより、効率および信頼性の高いドラム式乾燥機を提供することができる。
【産業上の利用可能性】
【００２１】
以上のように、本発明にかかるドラム式乾燥機は、外気温が高い場合、圧縮機の回転数を所定の回転数まで下げることによって、信頼性の高い効率的なドラム式乾燥機を提供することができる。
【符号の説明】
【００２２】
１  回転ドラム
２  回転軸
３  筐体
４  裏板
５  軸受け
６  ローラ
７  駆動モータ
８Ａ  ドラムプーリ
８Ｂ  ファンプーリ
９    ドラムベルト
１０  ファンケース
１１  ファンプーリ
１２  ファンベルト
１３  ファン（送風部）
１４  吹き出し口
１５  ヒートポンプ装置
１６  吸い込み口
１７  ダクト
１８  フタ
２３  圧縮機
２４  凝縮器
２５  蒸発器
３１  外気導入口
３２  冷却ファン
３３  温度検知部
３６  冷媒温度
３７  回転数
【図１】
2014018452.tif 000003
【図２】
2014018452.tif 000004
【図３】
2014018452.tif 000005